Podtech/llm-jp-corpus-v4-ja_patent huggingface dataset:
(57)【要約】      （修正有）【課題】折り畳み式食堂車の補強構造を提供する。【解決手段】主として二つの略凵形状である外ステー１１，１２と、外ステーの中間に位置する凵形状である内ステー１３を有するフレーム１０と、それぞれ外ステーの底端に設けられる二つの車輪２０と、内ステーの上端に設けられる二つの固定部材３０と、内ステーの直立棒１３０に嵌設された摺動スリーブ４０に結合された二つの連結棒４１，４２と、外ステーの上端と固定部材との間に固定された上パネルセット５０と、二つの連結棒が外ステーに結合する箇所と内ステー上に固定される下パネルセット６０と、前後ステーと内ステーの適当な位置に設置されるバスケット７０とが含有される。上パネルセットは二つのパネルが折り畳み可能に形成され、また、二つのパネルの底端と内ステーの上端にある二つの固定部材が、連結柱８０と固定部材により枢着される。【選択図】図１
0003138078.tif 000002
【実用新案登録請求の範囲】
【請求項１】
主として二つの略凵形状である外ステーと、外ステーの中間に位置する凵形状である内ステーを有するフレームと、それぞれ外ステーの底端に設けられる二つの車輪と、内ステーの上端に設けられる二つの固定部材と、内ステーの直立棒に嵌設された摺動スリーブに結合された二つの連結棒と、外ステーの上端と固定部材との間に固定された上パネルセットと、二つの連結棒が外ステーに結合する箇所と内ステー上に固定される下パネルセットと、前後ステーと内ステーの適当な位置に設置されるバスケットとが含有されることを特徴とする、折り畳み式食堂車の補強構造。
【請求項２】
該上パネルセットの二つのパネルの底端と内ステー固定部材とが枢着される位置に、一対の枢着部材が設けられることを特徴とする、請求項１に記載の折り畳み式食堂車の補強構造。
【考案の詳細な説明】
【技術分野】
【０００１】
本考案は折り畳み式食堂車に関し、特に、フレームにより重い負荷を掛けても、変形することがない折り畳み式食堂車の補強構造に関する。
【背景技術】
【０００２】
従来の折り畳み式食堂車は、折り畳んで保管できる効果が得られるが、そのステーは、負荷により容易に変形する欠点があるため、解消すべくものである。
【考案の開示】
【考案が解決しようとする課題】
【０００３】
本考案の主な目的は、フレームにより重い負荷を掛けても変形することがない、折り畳み式食堂車の補強構造を提供する。
【課題を解決するための手段】
【０００４】
請求項１の考案は、主として二つの略凵形状である外ステーと、外ステーの中間に位置する凵形状である内ステーを有するフレームと、それぞれ外ステーの底端に設けられる二つの車輪と、内ステーの上端に設けられる二つの固定部材と、内ステーの直立棒に嵌設された摺動スリーブに結合された二つの連結棒と、外ステーの上端と固定部材との間に固定された上パネルセットと、二つの連結棒が外ステーに結合する箇所と内ステー上に固定される下パネルセットと、前後ステーと内ステーの適当な位置に設置されるバスケットとが含有されることを特徴とする、折り畳み式食堂車の補強構造である。
【０００５】
請求項２の考案は、該上パネルセットの二つのパネルの底端と内ステー固定部材とが枢着される位置に、一対の枢着部材が設けられることを特徴とする、請求項１に記載の折り畳み式食堂車の補強構造である。
【考案を実施するための最良の形態】
【０００６】
図１と図２を参照しながら、本考案は、主として二つの略凵形状である外ステー１１、１２と外ステー１１、１２の中間に位置する凵形状である内ステー１３とを有するフレーム１０と、それぞれ外ステー１１、１２の底端に設けられる二つの車輪２０と、内ステー１３の上端に設けられる固定部材３０と、内ステー１３の直立棒１３０に嵌設された摺動スリーブ４０に結合された二つの連結棒４１、４２と、外ステー１１、１２の上端と固定部材３０との間に固定された上パネルセット５０と、二つの連結棒４１、４２が外ステー１１、１２に結合される箇所と内ステー１３上に固定される下パネルセット６０と、前後ステー１１、１２と内ステー１３の適当な位置に世知されるバスケット７０とが含有され、上記の構成によれば、該上パネルセット５０は、二つのパネル５１、５２が折り畳み可能に形成され、また、二つのパネル５１、５２の底端と内ステー１３の上端にある二つの固定部材３０が、連結柱８０により固定部材３０に枢着されるため、二つのパネル５１、５２は、該連結柱８０と二つの固定部材３０により枢着され、フレーム１０は、より重い負荷を受けても、横方向の支持が補強されるため変形し難い。
【０００７】
図３のように本考案を使用する時、二つの上下パネルセット５０、６０が同時に平面状に開き、この時枢着された外ステー１１、１２も展開されて最大の距離になり、また、内ステー１３がほぼ外ステー１１、１２の中間に位置し、また、内ステー１３の直立棒１３０上に位置する摺動スリーブ４０に枢着された二つの連結棒４１、４２も、外ステー１１、１２に合わせて、「∧」形状に展開され、そして下パネルセット６０に枢着され、下パネルセット６０の二つのパネル６１、６２の内側に折り畳む箇所において、二つの枢着部材が連結軸を介して内ステー１３を軸支し、また、内ステー１３の上端に位置する固定部材３０に、上パネルセット５０の二つのパネル５１、５２の内側において、折り畳む位置に二つの枢着部材９１、９２が連結柱８０によって軸支され、二つの固定部材３０同士が該連結柱８０により連結され、また、上パネルセット５０の二つのパネル５１、５２が平面に展開する時、固定部材３０が二つの連結棒４１、４２上の摺動スリーブ４０に係合し、折り畳み時、摺動スリーブ４０に係合した固定部材３０を解除して上へ引き上げると、図４のようになる（該固定部材と摺動スリーブに係合する二つの連結棒は、状来の技術であるため、ここでは説明を省略する）。
【０００８】
上記の上パネルセット５０の二つのパネル５、１５２の内側において、折り畳む位置にある二つの枢着部材９１、９２が、連結柱８０と二つの固定部材３０により枢着され、凵形状の内ステー１３の上縁が、該連結柱８０により封止状の連結が形成され、そのため、フレーム１０により重い負荷を受けても横方向に変形することがない。
【図面の簡単な説明】
【０００９】
【図１】本考案の立体展開概念図
【図２】本考案の一部の立体分解図
【図３】本考案の組立て断面概念図
【図４】本考案の収納状態の概念図
【符号の説明】
【００１０】
１０      フレーム
１１      前ステー
１２      後ステー
１３      内ステー
１３０    直立棒
２０      車輪
３０      固定部材
４０      摺動スリーブ
４１      連結棒
４２      連結棒
５０      上パネルセット
５１      パネル
５２      パネル
６０      下パネルセット
６１      パネル
６２      パネル
７０      バスケット
８０      連結柱
９１      枢着部材
９２      枢着部材
【図１】
0003138078.tif 000003
【図２】
0003138078.tif 000004
【図３】
0003138078.tif 000005
【図４】
0003138078.tif 000006
(57)【要約】      （修正有）【課題】杭木を１本、１本抜くのは重労働でありまたよく怪我をします。この杭抜き機を使うことにより疲労が少なくなり作業能率が２〜３倍も高くなります。【解決手段】  杭木７を引き抜くためバール（Ｌ字型）の先端１についているチェーン２を杭木に１回巻きチェーンのあそびがないように、チェーン目で調整し止め金具３に止め両手で握り棒４が、９０°（直角）になるように手前に引き寄せます。【選択図】図１
0003138237.tif 000002
【実用新案登録請求の範囲】
【請求項１】
地中に打ち込んだ大きい杭木（木、鉄、プラスチック）の上部をバール（Ｌ字型）の先端についているチェーンで１回まき、あそびがないようにチェーンの目で調整し止め金具に固定し握り棒が６０°倒れているので９０°（直角）になるように両手で握り棒を手前に引き上げたら杭木が抜ける道具です。
【考案の詳細な説明】
【技術分野】
【００１】  本考案は、地中に打ち込んだ杭木を抜く道具に関する。
【背景技術】
【００２】  従来は、杭木の上部をハンマーで叩き杭木の周りに隙間を作り手で１本、１本引き上げていた。
【考案の開示】
【考案が解決しようとする課題】
【００３】  １本、１本手で引き上げていたら重労働でありよく手を怪我します。
【課題を解決するための手段】
【００４】  そこで、杭木を引き抜くため、バール（Ｌ字型）の先端についているチェーンを杭木に１回巻き、チェーンのあそびがないようにチェーンの目で調整し止め金具に止め（図１）、両手で握り棒が９０°（直角）になるように手前に引き寄せます（図２）。
【考案の効果】
【００５】  よって本考案は、杭木の大きさ、材質、形状に関係なく簡単に引き抜くことができ、また握り棒が６０°に倒れているので杭木が曲がったり折れたりすることもありません。そしてまた、一番力がかかる接地面には鉄板があり地面に食い込むことはありません。
【考案を実施するための最良の形態】
【００６】  軽くて強い鉄製にしたので３ｋｇしかなく大きさ、材質、形状がいろいろあるのでチェーンを使うことにより対応できるようになりました。
【図面の簡単な説明】
【００７】
【図１】  本考案にかかる杭抜き機で、杭木にチェーンを巻いてセットした状態である。
【図２】  本考案にかかる杭抜き機で、杭木を引き抜いた状態である。
【図３】  本考案の正面図である。
【符号の説明】
【００８】  １  バールの先端
２  チェーン
３  止め金具
４  握り棒
５  鉄板
６  補強材
７  杭木
【図１】
0003138237.tif 000003
【図２】
0003138237.tif 000004
【図３】
0003138237.tif 000005
(57)【要約】      （修正有）【課題】従来のチュールを用いたパニエでは、ボリュームを出すために多量のチュールが必要であり、ボリュームに比例して材料費・重量が増え、着心地も悪化し、足元の蒸れが発生する。形状も大きく着用には大人だけでなく、幼児が着用するには不向きであった。そこで軽量化でき、ドレスの重みを支える力が生まれ、ばねの力を用いる事により持ち運びやすくなり、収納するに適する大きさにまとめるコンパクト針金パニエを提供する。【解決手段】チュールの代わりにスプリングワイヤーを用いる。【選択図】図１
0003138231.tif 000002
【実用新案登録請求の範囲】
【請求項１】
小材量で大きく広がり、スプリングワイヤーを用いる事により、軽量化と小型化が実現されコンパクトに収納でき、外出の持ち歩きにも適しており、また軽量化によりパニエのずり落ち等の着崩れも解消されるスプリングワイヤーを用いたパニエ。
【考案の詳細な説明】
【技術分野】
【０００１】  本考案は、パニエにスプリングワイヤーを用いたことで足元の風通しもよく、簡易にボリュームを出すことができる。サイズ違いのスプリングワイヤーを重ねた事で平面となり、さらにスプリングワイヤー特有のばねの力で元に戻る特性を生かし八の字に曲げることが可能となり、半分以下の大きさに小型化されるので収納や持ち運びにも適している。
【背景技術】
【０００２】  従来のパニエでは、ボリュームを出すため多量のチュールを用いなければならなかった。
【考案の開示】
【考案が解決しようとする課題】
【０００３】  チュールは嵩張り、重い。かつ多量の布に包まれるため蒸れ、着心地が悪い。重量があるため、重みでずり落ち着崩れる。持ち運びも困難である。
【課題を解決するための手段】
【０００４】  本考案はスプリングワイヤーを使用することで、チュールには困難な広大な輪を安易にかつ軽量に出すことができ、軽量化と小型化が可能なため持ち運びが容易になり、着崩れも防ぐ、上記課題を解決するものである。
【考案の効果】
【０００５】  針金の輪と足の間に大きな空間ができるため、着心地・足裁きが容易になり、サイズ違いの輪のスプリングワイヤーを用いる事によりにより、さらに小さく纏まり収納・輸送に適した形状となった。また軽量化により、パニエが重みでずり落ちてこない利点がある。
【考案を実施するための最良の形態】
【０００６】  図面を参照して本考案の実施の形態を説明する。直径の異なる針金の輪（１）を子供の場合３本・成人の場合４本を用意し、土台布に作ったガイドに沿って挿入する。
【図面の簡単な説明】
【０００７】
【図１】コンパクト針金パニエ幼児用の側面図である。
【図２】コンパクト針金パニエ幼児用の上面図である。
【図３】コンパクト針金パニエ収納時の上面図である。
【符号の説明】
【０００８】  １  スプリングワイヤー
【図１】
0003138231.tif 000003
【図２】
0003138231.tif 000004
【図３】
0003138231.tif 000005
(57)【要約】      （修正有）【課題】簡単な操作で、頁ずれによるバラケ等を確実に防止する。【解決手段】クリップ１のレバー部２，２ａを指でつまみ押圧すると、挟み部３，３ａが開口状態となる、この状態で新聞の最も内部頁の折り目部へ、ずれ防止軸４の先端を挿入して、ずれ防止軸４の屈曲部Ｄが新聞端に達した時、挟み部綴じ目の適宜な位置において、指つまみ圧をゆるめて挟み部３，３ａで挟むことで、新聞全頁がずれ防止軸４で保持される。【選択図】図１
0003138236.tif 000002
【実用新案登録請求の範囲】
【請求項１】
クリップ１のレバー部２に、ずれ防止軸４を設けたことを特徴とする新聞綴じ具。
【考案の詳細な説明】
【技術分野】
【０００１】  この考案は新聞綴じ具の形状に関するものである。
【背景技術】
【０００２】  新聞綴じ具は比較的長大なものが主であった。
【考案の開示】
【考案が解決しようする課題】
【０００３】  近年、新聞の発行頁数は１日３０頁から４０数頁にも及んでいる、頁数の多い新聞を読み終ったとき、頁ごとにきちんと畳まれていたものが、ずれてバラケタ状態になることが実に多い、このようなとき再度新聞紙の角々を揃え、折り目を整え直さなければならない煩わしさを解消するための、新聞綴じ具を提供するものである。
【課題を解決するための手段】
【０００４】  クリップ１のレバー部２に、ずれ防止軸４を設けたことを特徴とする新聞綴じ具。
【考案の効果】
【０００５】  複数頁に折り畳まれた新聞Ａの最も内部頁の折り目部Ｂを、ずれ防止軸４を用い、頁ごとのずれを防ぎ、新聞Ａの最も外側の綴じ目Ｃをクリップ１の挟み部３，３ａで挟むことで、頁ずれによるバラケ等は確実に防止できる、本考案による新聞綴じ具は操作が極めて簡単である。
【考案を実施するための最良の形態】
【０００６】  本考案の実施形態を図１に示す、クリップ１のレバー部２にずれ防止軸４を固着一体化したことを、特徴とする新聞綴じ具
【実施例】
【０００７】  本考案による新聞綴じ具、クリップ１のレバー部２，２ａを指でつまみ押圧すると、挟み部３，３ａが開口状態となる、この状態で新聞Ａの最も内部頁の折り目部Ｂへ、ずれ防止軸４の先端を挿入して、ずれ防止軸４の屈曲部Ｄが新聞端に達した時、挟み部綴じ目Ｃの適宜な位置において、指つまみ圧をゆるめて挟み部３，３ａで挟むことで、新聞Ａ全頁がずれ防止軸４で保持されるため、頁ずれによるバラケ等は確実に防止できる。
【産業上の利用可能性】
【０００８】
【図面の簡単な説明】
【０００９】
【図１】本案新聞綴じ具の斜視図
【図２】本案新聞綴じ具の側面図
【図３】本案新聞綴じ具の背面図
【図４】本案新聞綴じ具の平面図
【図５】本案新聞綴じ具の底面図
【図６】本考案の実施（操作）を示す一部切欠斜視図
【図７】本考案実施を示す一部切欠による拡大図
【符号の説明】
【００１０】１        クリップ                Ａ        新聞
２，２ａ  レバー部                Ｂ        折り目部
３，３ａ  挟み部                  Ｃ        綴じ目
４        ずれ防止軸              Ｄ        ずれ防止軸４の屈曲部
【図１】
0003138236.tif 000003
【図２】
0003138236.tif 000004
【図３】
0003138236.tif 000005
【図４】
0003138236.tif 000006
【図５】
0003138236.tif 000007
【図６】
0003138236.tif 000008
【図７】
0003138236.tif 000009
(57)【要約】      （修正有）【課題】ウォーターガロンボトルの内容物の漏れを安全に保護する、一体化パッキン付キャップを提供する。【解決手段】ウォーターガロンボトル用のキャップ１の内側天面部分と側面部分にリング形状のリブ２、３を設け、ボトル口径内部分にキャップ内側天面部分が装着した時に密封され、尚且つ側面部分のリブでボトル口径側面部分を密着する事により、発泡態パッキンを不要として、内容物の漏れを保護する。【選択図】図１
0003138235.tif 000002
【実用新案登録請求の範囲】
【請求項１】
従来のウォーターガロンボトルのキャップには、内側天面部分に発泡態のパッキンを用いてボトル容器本体の口径部分に装着した時に密封されて内容物を保護していたが、本キャップには内側の天面部分と側面部分にリング状のリブを設ける事により、ボトル口径内部分に装着した時に天面リングで密封され、更に側面リングで密着し内容物を保護し、発泡態のパッキンを不要としたところを特徴とする画期的なキャップ。
【考案の詳細な説明】
【技術分野】
【０００１】本考案は、ウォーターガロンボトルのキャップ内側天面部分と側面部分にリング形状のリブを設け、ボトル口径内部分に装着した事に天面リングで密封され、更に側面リングで密着し、一体化パッキン付キャップに関するものである。
【背景技術】
【０００２】従来のウォーターガロンボトル用のキャップには、キャップ内部に発泡態のパッキンを用いてボトル口径部分に装着した時に密封され、内容物を保護していた。
【考案の開示】
【考案が解決しようとする課題】
【０００３】従来のウォーターガロンボトルのキャップには、キャップ内側天面部分に発泡態のパッキンを用いて密封して内容物の漏れを保護していたが、時々内容物が漏れると言った問題が発生していた。品質保証の面から確実に内容物を保護する事とし、キャップの内側天面部分と側面部分にリング形状のリブを設け、一体化する事によりボトル口径内部分に装着した時に天面リングで密封され、更に側面リングでボトル口径側面部分を密着し内容物の漏れを解決しようとするものである。
【課題を解決しようとするための手段】
本考案は、ウォーターガロンボトル用のキャップの内側天面部分と側面部分にリング形状のリブを設け、ボトル口径内部分にキャップ内側天面部分を装着した時に密封され、尚且つ側面部分のリブでボトル口径側面部分を密着する事により、発泡態パッキンを不要として、内容物の漏れを保護する事で従来の問題点を解決している。
【考案の効果】
【０００５】上述の様に、本考案のウォーターガロンボトル用のキャップは、内側天面部分と側面部分にリング状のリブを設け、ウォーターガロンボトルの口径内部分に装着した時に内側天面部分のリング状のリブで密封され、側面部分のリブで密着する事により内容物の漏れを保護し、発泡態パッキンを不要とさせた。その為、一体化パッキン付キャップは製造する過程で２次加工等の手間が省け、品質保証の向上や衛生的な面でも安全性に役立つ。
【考案の実施する為の最良の形態】
【０００６】発泡態パッキンを不要とした一体化パッキン付キャップは、ウォーターガロンボトルの口径内部分に装着した時に、キャップ内側天面部分のリング状のリブで密封され側面部分のリブでボトル側面部分を密着し、内容物の漏れを保護する事となる。
【実施例】
【０００７】以下、添付図面に従って一実施例を説明する。図１は一体化パッキン付キャップ１の内側天面部分２と側面部分３にリング状のリブを設ける事で、ウォーターガロンボトルの口径内部分４にキャップを装着した時に、２が口径内内部に密封され、更に３でボトル口径側面部分が密着され、内容物の漏れを保護している。【０００８】本考案の一実施例は上述の如き構成からなるものであるから、ウォーターガロンボトルの一体化パッキン付キャップとしてもちいる事は勿論であるが、パッキンを不要とした画期的な蓋である。【０００９】このようなウォーターガロンボトル用の一体化パッキン付キャップ１は、ポリエチレン、ポリプロピレン、エチレン−プロピレン共重合体等のポリオレフィン系樹脂による一体成形によって構成され、より密封性を高めている。
【図面の簡単な説明】
【００１０】
【図１】本考案の一体化パッキン付キャップの一実施例である。
【図２】一体化パッキン付キャップの一部切欠断面図である。
【符号の説明】
【００１１】１  一体化パッキン付キャップ本体
２  内側天面リング状のリブ
３  内側側面リング状のリブ
４  ウォーターガロンボトル口径部分
【図１】
0003138235.tif 000003
【図２】
0003138235.tif 000004
(57)【要約】      （修正有）【課題】ハンドルが滑る危険性が無く正確で円滑なハンドル操作ができ、安全運転をする事ができる滑り止めの手袋の提供。【解決手段】手袋平部の、薬指全部と小指全部とその直下の小指玉全部を、塩化ビニ−ルによる滑り止めビニボツ加工を施し、又、親指と人差し指と中指とその直下の母指玉全部は、手の方向を決め、ハンドルを安定させる役目をする為に軽く握る事になる、従って、その部分に加工は施さない。又、力の加わる部分、薬指と小指とその直下の小指玉部を加工することにより制動性に優れた、安全で正確なハンドル操作が可能となる。【選択図】図１
0003138238.tif 000002
【実用新案登録請求の範囲】
【請求項１】
左右の手袋本体の平部に塩化ビニ−ルによる、当該手袋平部の薬指全部と小指全部とその直下の小指玉全部に滑り止めビニボツ加工を施し、当該部分的に加工したところを特徴とする自動車運転用滑り止め手袋である。
【考案の詳細な説明】
【技術分野】
【０００１】本考案は、左右両方の手袋に滑り止め加工を施した、手袋に関するものである。
【背景技術】
【０００２】自動車を運転する際に、エアコンでの乾燥、又は、皮脂などで、手がハンドルから滑る事がある、従って、手の平全面に滑り止めビニボツ加工を施した、綿のニット又はメリヤス製の手袋、又は、加工をしていない、綿のニット又はメリヤス製の手袋を使用していた。
【考案の開示】
【考案が解決しようとする課題】
【０００３】従来の手の平部全面に滑り止めビニボツ加工を施した手袋を使用した場合は、ハンドルの切り返しの際、返し時に滑り止めが効き過ぎ、引きずる状態となり支障があった、又、加工をしていない手袋を使用した場合ではハンドルを切る場合に滑りやすく力が入り難い。従って、部分加工をすることにより、安全で、楽に運転ができるようになる事で、前述の欠点を解決しようとするものである。
【課題を解決するための手段】
【０００４】本考案は、手袋平部の、薬指全部と小指全部とその直下の小指玉全部を、塩化ビニ−ルによる滑り止めビニボツ加工を施し、又、親指と人差し指と中指とその直下の母指玉全部は、手の方向を決め、ハンドルを安定させる役目をする為に軽く握る事になる、従って、その部分に加工は施さない。又、力の加わる部分、薬指と小指とその直下の小指玉部を加工することにより制動性に優れた、安全で正確なハンドル操作が可能となることにより問題点を解決している。
【考案の効果】
【０００５】上述の様に、本考案の自動車運転用滑り止め手袋は、運転中にハンドルを切る場合に、手の平部はハンドルに対して廻す力を加える、従って、廻す力を加える薬指と小指とその直下の小指玉部に滑り止め加工を施し。又、ハンドルを返す場合には、ハンドル自体が元に戻ろうとする作用がある為に軽く握る操作となる、即ち、軽く握る操作で使う部分は、主に、親指、人差し指、中指、その直下の母指玉全部となることにより、その部分に滑り止め加工は施さない。これにより円滑なハンドル操作が可能となり、体勢を変えずに楽にハンドルが切れ、安全運転につながる。又、従来の手の平部全面に滑り止め加工を施した手袋を使用した場合の、滑り止めの利き過ぎ、引きずり感、を解消した。又、  本考案とは逆に、親指、人差し指、中指、に滑り止め加工を施した場合は、常に指先に力が入った状態で疲れ易く、又、ハンドルをきる場合には滑り易く危険である。
【考案を実施するための最良の形態】
【０００６】手袋は左右両方に装着し手袋の先まで指が届くようにし、弛みが無いことを確かめる、又、指と指の間を押さえ手袋との隙間がないようにする、基本的に正しいハンドル操作をすることで、突発的な動きに対しても機敏に対応する事ができる。
【実施例】
【０００７】以下、添付図面に従って一実施例を説明する。１は薬指全部に加工を施した部分、２は小指全部に加工を施した部分、３は薬指と小指の直下の小指玉全部に加工を施した部分、１、２、３、の部分に力が加わる、４は綿、又は化学繊維のニット、又は、メリヤス製の手袋本体である。【０００８】本考案の一実施例は上述の如き構成からなるものであるから、作業用としては勿論、鍬、鎌、など棒状の物を扱うときに役立つ、又、握力の弱い中高年には勿論、長距離ドライバ−の安全運転につながる。又、本考案は剣道の竹刀の持ち方をモチ−フに考案した物である。
【図面の簡単な説明】
【０００９】
【図１】本考案の自動車運転用滑り止め手袋の一実施例を示す正面図である。
【符号の説明】
【００１０】１    薬指加工部
２    小指加工部
３    薬指と小指直下の小指玉全加工部
４    手袋本体
５    右手の手袋も同じ部分に加工
６    ビニボツ加工の丸形のサイズは図の半分以下のサイズ
【図１】
0003138238.tif 000003
(57)【要約】      （修正有）【課題】プランターの水遣りが便利になる。【解決手段】プランターの正面に蛇口を設ける。これによって水源が近くに確保することができ、なおかつデザイン性も向上させた、玄関先などに水栓を設置するにあたり、プランターとしての利用目的も兼ねるための利便性も向上した。【選択図】図１
0003138240.tif 000002
【実用新案登録請求の範囲】
【請求項１】
プランターの正面に蛇口を設けたことを特徴とする。プランター
【考案の詳細な説明】
【技術分野】
【０００１】  この発明は、ガーデニングに用いるプランターの形状に関する。
【背景技術】
【０００２】  従来のガーデニングに用いるプランターの形状は、図２に示す形態である
【考案の開示】
【考案が解決しようとする課題】
【０００３】しかしながら、以上の技術によれば、水遣りの際、他の場所から水を運ばなければならなかった
そこで、この発明は、側面に蛇口を設置したプランターを提供することを課題とする。
【課題を解決するための手段】
【０００４】  以上の課題を解決するために、考案は、側面に蛇口を設けたことを特徴とするプランターである。
【考案の効果】
【０００５】  考案によれば、プランターの側面に蛇口を設けたので、水遣りが楽でデザイン性も向上した。またプランター自体に水栓の役割も持たせた
【考案を実施するための最良の形態】
【０００６】  この発明の一実施形態を、図１に示す。
プランターの正面に蛇口を設置し、パイプは内部を通り裏側にでる。そこからホースを用いて水源を得る【０００７】「実施形態の効果」
この実施形態によれば、どこでも水源を取ることができ設置場所を選ばない【０００８】「他の実施形態」
図１の実施形態では、蛇口の取り付け位置は正面であったが他の実施形態では、デザインを重視して位置を変えても良い。
【図面の簡単な説明】
【０００９】
【図１】この発明の一実施形態を示す奢侈図である。
【図２】従来技術を示す斜視図である。
【図３】発明の実地形態の内部図である。
【符号の説明】
【００１０】１  プランター本体            ２  蛇口
３  パイプ                    ４  ホース
５  用土
【図１】
0003138240.tif 000003
【図２】
0003138240.tif 000004
【図３】
0003138240.tif 000005
(57)【要約】      （修正有）【課題】装着した時、クロッチ部に違和感や不快感の少ないショーツを提供する。【解決手段】ショーツのクロッチ部７に、裁断時に端始末不要な生地を用いたマチ布５の両脇部を縫い付ける。さらに、マチ布５の前後部はショーツに縫い付けず、フリーの状態とする。【選択図】図２
0003138232.tif 000002
【実用新案登録請求の範囲】
【請求項１】
両脇部がクロッチ部に縫い付けられ、前後部はフリーとなっている、裁断時に端始末不要な生地からなるマチ布が取り付けられたショーツ。
【考案の詳細な説明】
【技術分野】
【０００１】  本考案は、マチ布を取り付けたショーツに関する。
【背景技術】
【０００２】  ショーツのクロッチ部には、マチ布を取り付けるのが一般的である。【０００３】
【特許文献１】実開平６−６４０４
【特許文献２】特許第３７９２２２１号
【考案の開示】
【考案が解決しようとする課題】
【０００４】  ショーツにはマチ布を取り付けるのが一般的であるが、マチ布がほつれたり破れたりするのを防ぐため、マチ布の周囲をかがり縫いしなければならず、その部分が厚くなり、装着時に違和感や不快感を生じる。【０００５】  また、マチ布とショーツの身生地の間に熱融着テープを挟んで、マチ布とショーツの身生地を熱融着するものもある。この方法では、マチ布の周囲を縫製する必要がなくなるので、その箇所が厚くなることはない。しかし、接着箇所が固くなり装着時に違和感がある。
【課題を解決するための手段】
【０００６】  本考案は、裁断時に端始末不要な生地からなるマチ布の両脇部をショーツのクロッチ部に縫い付け、そのマチ布の前後部はフリーとすることにより、課題を解決している。
【考案の効果】
【０００７】  本考案のショーツでは、マチ布の周囲が厚くなることがなく、しかも、マチ布とショーツの身生地の固定箇所が固くなることもないので、装着時の違和感が減少する。また、マチ布の前後部を、ショーツの身生地に縫合せずフリーの状態としているので、マチ布の前後部がショーツの伸縮に影響されることがない。
【考案を実施するための最良の形態】
【０００８】  図１は、本考案にかかるショーツを示したものである。図２は、図１のショーツを縫製する前の展開図である。１は、裁断時に端始末不要で、且つ、縦横方向に一定の伸縮性のある丸編生地からできたショーツであり、前身頃２と後身頃３を、側部４においてのみ縫合したものである。【０００９】５は、裁断時に端始末不要な生地からなるマチ布であり、ショーツ１のクロッチ部７にその両脇部５Ａを縫い付けられており、６は縫合線である。その前後部５Ｂは、ショーツ１に縫合されず、フリーの状態となっている。【００１０】  マチ布５は、裁断時に端始末不要な、いわゆる切りっ放し生地からなり、裁断箇所を後始末する必要がない。マチ布５は、本実施の形態では、丸編の切りっ放し生地であるが、その他の切りっ放し生地であってもよいのはもちろんである。切りっ放し生地でない場合、裁断箇所を縫製する、あるいはテーピングする等の処理が必要であり、その箇所が他の箇所に比べて厚くなる。ところが、切りっ放し生地を用いた場合、裁断箇所にそのような後処理加工を施す必要がない。【００１１】  このショーツ１を装着した場合、前身頃２、後身頃３、マチ布５が体に密着するが、マチ布５の周囲を全く縫製していないので、股間部に触れても違和感や不快感がない。さらに、マチ布５の前後部５Ｂを、ショーツ１の身生地に縫合せずフリーの状態としているので、マチ布５の前後部５Ｂがショーツ１の伸縮に影響されることがない。従って、装着後の動作によってショーツ１が伸縮しても、マチ布５がその動きによって強ばることもない。【００１２】  なお、本実施の形態では、ショーツ１は、裁断時に端始末不要な生地を用いているが、それ以外の生地を用いてもよい。例えば、ショーツ１のウエスト部及び足ぐり部にテーピング加工を施してもよく、当該箇所を縫製加工してもよい。
【図面の簡単な説明】
【００１３】
【図１】本考案に係るショーツを正面やや上から見た図
【図２】本考案に係るショーツを分解した図
【符号の説明】
【００１４】１  ショーツ
２  前身頃
３  後身頃
４  側部
５  マチ布
６  縫合線
７  クロッチ部
【図１】
0003138232.tif 000003
【図２】
0003138232.tif 000004
(57)【要約】【課題】コンプレッサー及び容積形流体モータのロータ枠内のカスを枠外へ出すが枠内の高圧ガスを出来るだけ外へ出さない。【解決手段】コンプレッサー及び容積形流体モータの下段のロータ枠の底部に溝２１を設け溝の下部を広くしてベルトコンベアを設けてその１端に離して断面円形のカス受け枠２８を縦にして設け、カス受け枠の芯に回転軸を設けて回転軸に放射状に仕切板２７を設けてベルトコンベアと反対側の所の底板に穴２３を設け穴２３側から回転軸を越す所まで仕切板の上部と回転軸に摺接させて漏れ防止板２９を設ける。【選択図】図２
0003138218.tif 000002
【実用新案登録請求の範囲】
【請求項１】
断面略半円形のロータ枠（１）、（４）を間を設けて設け、１方の間を吸入口（１５）とし他方の間を排出口（１６）とし、ロータ枠内に凹部と凸部が交互にくり返えすロータを２個収容し各各のロータは各各反対方向に接っしながら回転しそしてロータ枠にも接っし各各のロータに直結する回転軸を同側のロータ側枠外へ出して同じギアを設けて噛み合せ、下側のロータ枠（４）、（３８）の底あたりに溝（２１）、（４４）を設ける事を特徴としたロータ枠内のカス取り。
【請求項２】
溝（２１）、（４４）の下部にベルトコンベア（２２）、（４５）を設ける事を特徴とした請求項１記載のロータ枠内のカス取り。
【請求項３】
断面円形のカス受け枠（２８）を縦にしてその中に回転軸（２６）、及び外回転軸（２６Ａ）に仕切板（２７）の１端を何枚か固着し、１端からベルトコンベアから運ばれて来たカスをカス受け（２８Ａ）に落して入れ、底板（２３Ａ）の某部に穴（２３）を設けてカスを落し、仕切板によってカスを回転移動させ仕切板によって高圧ガスを遮断したものと穴を組み合せた事を特徴とした請求項１、２記載のロータ枠内のカス取り。
【請求項４】
カス受け枠（２８）の中に設けた漏れ防止回転（２７Ａ）、（２７Ｂ）が穴（２３）より大きくした事を特徴とした請求項１、２、３記載のロータ枠内のカス取り。
【請求項５】
何枚かの仕切板（２７）の間及び漏れ防止回転（２７Ａ）の１端と他端に内枠（２８Ｂ）を設ける事を特徴とした請求項３、４記載のロータ枠内のカス取り。
【請求項６】
高圧ガスがロータ枠内から穴（２３）まで通って漏れるのを防ぐため漏れ防止板（２９）を設ける事を特徴とした請求項１、２、３、４記載のロータ枠内のカス取り。
【考案の詳細な説明】
【技術分野】
【０００１】コンプレッサー及び容積形流体モータのロータ枠内のカス取りに関するものである
【背景技術】
【０００２】実願２００７−４０９９等がある。
【考案の開示】
【考案が解決しようとする課題】
【０００３】ロータ枠内のカスをロータ枠外へ出す。
【課題を解決するための手段】
【０００４】下段のロータ枠の底部に溝を設けて溝の下部を広くしてベルトコンベアを設けてカスを１方に寄せて断面円形のカス受け枠２８を縦にしたカス受けの中に落し、カス受けは芯に回転軸を設けてロータ２０を止めてカス取りをする時は回転軸２６、及び外回転軸２６Ａに漏れ防止回転２７Ａ、２７Ｂでも良いその場合は漏れ防止板（２９）は必要ない。漏れ防回転は穴より大きくする。ロータ２０を長時間回転する時は仕切板を３枚以上放射状に回転軸に１端を固着して必要により仕切板と仕切板の各各の間に内枠を設けベルトコンベアより運ばれて来たカスを受ける所の略反対側に穴を設ける。穴の上部あたりに漏れ防止板２９を設ける。仕切板が多い時でそして漏れ防止板はカスがベルトコンベアより落ちる空間だけ残して、仕切板に摺接させて覆う時は穴はカス受け枠の内辺近くに添ってカスを受ける所の近くする事が出来る
【考案の効果】
【０００５】ロータ枠内のカスは、ロータ枠外へ出てロータ枠内の高圧ガスは穴より小しは出るが連続して多くは出ない。
【考案を実施するための最良の形態】
【０００６】下段のロータ枠の底部に溝を設けて溝の下部を広くしてベルトコンベアを設けベルトコンベアの１方に離して下に上から見るとかぶさるように断面円形のカス受け枠を縦して設け、ベルトコンベアに運ばれて来たカスをカス受けに落して入れ、カス受内は芯に回転軸を設けて回転軸に放射状に仕切板の各各の１端を回着し各各の仕切板の先端の各各の間に内枠を固着し又はカス受け枠内に摺接して内枠を設け内枠に各各の仕切板を固着し他方を回転軸と仕切板を固着する。回転する仕切板の上部と回転軸に摺接して漏れ防止板２９を設ける。カスを落して入れた所と反対の所の底板２３Ａに穴２３を設けてカスを機外へ出す。
【実施例】
【０００７】ベルトコンベアは、金属性で金属板とチェーンを組み合せて設ける。ベルトコンベアをローラ２５で受ける。カス受の中の外回転軸を太くする事もある。
【産業上の利用分野】
【０００８】火力発電所に利用出来る
【図面の簡単な説明】
【０００９】
【図１】コンプレツッサー及び容積形流体モータの下段のロータ枠の底に設けた溝の断面図。
【図２】Ｚ−Ｚ断面図。
【図３】Ｙ−Ｙ断面図
【図４】Ｙ−Ｙ断面図
【図５】Ｙ−Ｙ断面図
【図６】Ｙ−Ｙ断面図
【図７】Ｘ−Ｘ断面図
【図８】ロータの凸部が２個所のロータ枠の底部に設けた講の断面図。
【符号の説明】
【００１０】溝                ２１、４４
ベルトコンベア    ２２、４５
ローラ            ２５
ベルトコンベア室  ２４
回転軸            ２６
漏れ防止板        ２９
カス受け枠        ２８
仕切板            ２７
底板              ２３Ａ
穴                ２３
カス受            ２８Ａ
漏れ防止回転      ２７Ａ、２７Ｂ
内枠              ２８Ａ
外回転軸          ２６Ａ
ロータ側枠        ４Ａ
ロータ            ２０
【図１】
0003138218.tif 000003
【図２】
0003138218.tif 000004
【図３】
0003138218.tif 000005
【図４】
0003138218.tif 000006
【図５】
0003138218.tif 000007
【図６】
0003138218.tif 000008
【図７】
0003138218.tif 000009
【図８】
0003138218.tif 000010
(57)【要約】【課題】災害等一次非難時、レジャーなどに提供する簡易空気枕で、通常保管時に小さく格納、費用も安価で長期保存でも変質しない枕を提供する。【解決手段】二枚のポリエチレンシートを重ね通常枕寸法に、一端に鶴口形の空気導入口を備えた外周を溶着し、袋の状態を形成し二次加工として鶴口形の空気導入口を内側に約半分位折り込み空気導入道とし、口で空気を吹き込み空気を充填したら、空気導入道を折りたたみ、クリップ、粘着テープなどで固定し充填空気の流出を止める。【選択図】図３
0003138211.tif 000002
【実用新案登録請求の範囲】
【請求項１】
空気枕の空気室に空気を充填後、空気流出を防止する手段として、円錐形で相当の長さを有した空気導入口を備え、空気導入口先端を内側に折り返し、空気導入道を形成し空気充填後、空気導入道を折りたたみ、粘着テープなどで固定し充填空気の流出を防止する空気枕。
【考案の詳細な説明】
【考案の詳細な説明】
【０００１】本考案は天災時、地震、津波、洪水などさまざまな災害時に、一時避難生活をする場合休息に用いる枕で、通常は手ぬぐい程度の体積で、空気を充填すると通常の枕と同等で非常時、キャンプなど一次的使用を考えると安価なほど都合良い。
【０００２】枕本体となる空気室に、空気を充填するための空気導入口を備え、この空気導入口は枕本体の延長上にあり、空気導入時の形状は円錐形をなし、この先端を内側に折り返し空気導入道を形成し二重になるようにする。
空気注入時は空気導入道の内側テーパー壁に沿って流入し、流出しようとする空気は外壁に沿って進むが、折り返し部に防止され導入口から流出するが、導入開口面積が小さいこと、導入道が立体的には円錐形で、流出しようとする空気圧で流入口を閉ざそうとするので、流出速度が遅くなる。
この空気導入道を折りたたみ固定することで、充填空気の流出を防止することが出来る
【背景技術】
【０００３】従来の空気枕は、枕本体の空気導入口が、充填した空気の流出を防止する逆止弁付となっていて便利性では一番であるが、製品コストとを安価にするには限界がある。
【考案が解決しようとしている課題】
【０００４】本考案は、非常時に一時的に使用する空気枕で、機能は通常枕と同程度を維持しながら、未使用時はコンパクトに保管、いざ使用のとき簡単に誰でも、口より空気を吹き込んで枕にするが、製品価格を安価にするために、充填空気の流出防止に弁構造を使用せず、空気導入道を折りたたみ固定することで、充填空気の流出を防止させ、製造コストを安価にする。
【課題を解決する手段】
【０００５】溶着可能な気密性樹脂シートを２枚重ね、長方形で長手方向一端に、空気導入口になる余部分を有し、余部分先端を除く外周を溶着する。
空気室に空気を充填すると、丸に近い膨らみになるので、膨らみ厚さを固定させる方法として、長方形の長手方向中央部に、枕長さの三分の二程度の長さを溶着する。
【０００６】溶着後空気導入口になる余部分を、内側に折り返す、その折り返す長さは余部分長さの約半分ぐらいで、折り返し部分は空気導入道となり、この部分を空気充填後に折りたたみ固定することで、空気流出を防止できる。
折りたたみ部分の固定には粘着テープなどで巻きつけ又は挟み具ではさむ事も出来る。
【考案の効果】
【０００７】災害時の避難生活はめったに経験しない生活で、公共より救援物資の提供はあるが、枕など体積の多いものは自分でやりくりして、身まわり品を枕の代用にしていると思われる。が考案の空気枕なら、身まわり品として準備しておいても邪魔にならず、費用も安価なので負担にならない。
【０００８】災害時の救援物資として、この空気枕なら保管、管理に場所は少なく費用も安価なため、手ぬぐいなみの扱いで非難者の休息に貢献できる。
【０００９】避難生活者の健康管理に、精神面と同時に肉体的にも、充分な睡眠がとれる手段としてこの空気枕は貢献できるので、各個人の非常時備品として準備、又非常時救援団体が毛布などと同一管理が可能になる。
【実施例】
【００１０】この実施例の空気枕は、図１〜図４に示すように、二枚の気密性シート１ａと１ｂを重ね３ａを除く外周を溶着裁断又は裁断溶着する。
更に空気充填後の枕高さを、所定の高さにするため図１−２部を溶着する。【００１１】図１−３空気導入口の先端部３ａを内側に折り返し図２−４に組み立てる。【００１２】空気充填を行い、充填した空気を流出防止するため、図２−４部を折りたたみ図３−５この部分を固定するため粘着テープななどを巻きつける。
【図面の簡単な説明】
【００１３】
【図１】実施例の空気枕を示す、機密性樹脂シート二枚重ね溶着裁断平面図
【図２】実施例の空気枕を示す、空気導入口を内側に折り返した平面図
【図３】実施例の空気枕を示す、空気充填後充填空気の流出防止のため空気導入道を折りたたんだ平面図
【図４】実施例の空気枕を示す、空気枕に空気充填後の断面図
【符号の説明】
【００１４】１    空気枕本体
１ａ  気密性樹脂シート
１ｂ  気密性樹脂シート
２    空気枕膨らみ高さ固定の溶着位置
３    長方形余部分空気導入口
３ａ  空気導入口
４    空気導入道
５    空気導入道折りたたみ
６    溶着部
【図１】
0003138211.tif 000003
【図２】
0003138211.tif 000004
【図３】
0003138211.tif 000005
【図４】
0003138211.tif 000006
(57)【要約】【課題】身近にある段ボール箱を用いて簡易トイレとして使用できるようにする事である。【解決手段】梱包用段ボール箱に図３に示す通りミシン目で切り取り又は折り畳み、切り込み部分３に買い物袋を装着する事により容易に簡易トイレになる。汚物の処理は袋を外して捨てれば良い。この時高分子吸収剤や消臭剤を併用すればより衛生的に使用する事ができる。この買い物袋を取り替えて使用すれば繰り返し使用できる。【選択図】図３
0003138214.tif 000002
【実用新案登録請求の範囲】
【請求項１】
梱包用段ボール箱に設けたミシン目を、切り取り又は折り畳み、買い物袋(ポリ袋)をその内側に装着する事により、簡易トイレとして使える段ボール箱。
【考案の詳細な説明】
【技術分野】
【０００１】
本考案は、断水で水洗トイレが使用できない時、又は、屋外に於いて公衆トイレが無い時等、一時的にトイレの代替として段ボール箱を使用するための加工法に関するものである。
【背景技術】
【０００２】
地震や台風などの災害時に、水道管の断裂等により水道が使用できない場合、一番困るのは水洗トイレが使用できない事である。こうした場合、避難所に自治体や自衛隊が用意する仮設トイレは設置するまでに時間を要する。又、家庭で水洗トイレが使用できない場合は、介護用トイレが考えられるが、大きく全世帯で保有している訳でもない。
【考案の開示】
【考案が解決しようとする課題】
【０００３】
この改善策として、身近にある段ボール箱を用いて簡易トイレとして使用できるようにする事である。
【課題を解決するための手段】
【０００４】
本考案は、備蓄用飲料水や食料の梱包用の段ボール箱に、ミシン目を入れることにより簡易トイレが容易に作れるようにした。
【考案の効果】
【０００５】
本考案は、梱包用段ボール箱のリサイクルであるから、コストもかからず誰にでも簡易トイレが作れ、処分する時は段ボール箱として通常の処理ができる。
【考案を実施するための最良の形態】
【０００６】
このトイレは男女に係らず腰掛けて使用するために、箱の側面のミシン目は臀部がおさまるような形状にしている。また、買い物袋を箱に装着する為の切込みを設けている。
【実施例】
【０００７】
以下図面に従って説明する。１は材料となる段ボール箱である。２は箱を切り取り又は折り畳むためのミシン目である。３は４の買い物袋を装着する為の切り込みである。図１は、２ミシン目・３切込みの加工がされた段ボール箱でこの中に飲料水等が梱包されメーカーから出荷される。
【０００８】
図２は、ミシン目２に沿って切り取り又は折り畳んだ状態である。
【０００９】
図３は実際の使用状態である。図２の段ボール箱に買い物袋４の手さげ部分を切り込み部分３に差し込んで箱の中で袋を広げて使用する。汚物の処理は袋を外して捨てれば良い。この時高分子吸収剤や消臭剤を併用すればより衛生的に使用する事ができる。この買い物袋を取り替えて使用すれば繰り返し使用できる。
【産業上の利用可能性】
【００１０】
本来の梱包用段ボール箱として使用するとき、このミシン目は商品の展示用となり、断水など緊急時には簡易トイレとして容易に使用できる。
【００１１】
災害時以外でもドライブで渋滞に巻き込まれた時には車内でもトイレとして使用できる。
【００１２】
キャンプなど野外活動時にも周囲を囲う事によりトイレとして使用できる。
【図面の簡単な説明】
【００１３】
【図１】簡易トイレとして使える段ボール箱のミシン目を示した説明図である。
【図２】ミシン目を切り取り又は折り畳んだ図面である。
【図３】買い物袋を装着した実際に使用する時の図面である。
【符号の説明】
【００１４】
１    段ボール箱
２    ミシン目
３    切込み部分
４    買い物袋
【図１】
0003138214.tif 000003
【図２】
0003138214.tif 000004
【図３】
0003138214.tif 000005
【手続補正書】
【提出日】平成19年10月22日(2007.10.22)
【手続補正１】
【補正対象書類名】実用新案登録請求の範囲
【補正対象項目名】全文
【補正方法】変更
【補正の内容】
【実用新案登録請求の範囲】
【請求項１】
梱包用段ボール箱に設けたミシン目を、切り取り又は折り畳み、ポリ袋による買い物袋をその内側に装着する事により、簡易トイレとして使える段ボール箱。
(57)【要約】      （修正有）【課題】クラブとボールが当たる瞬間の衝撃力によるボールの変形を妨げず、クラブとボールに対する摩擦や、クラブのゴルフティーへの衝突などのショットへの悪影響がなく、紛失や破損する可能性の少ないゴルフティーを提供する。【解決手段】ゴルフクラブティーは、弾性体のストッパー部４を持つ部品１と、ボールを載せる受け皿部２と、弾性体のストッパー部４が嵌まる溝を有し、受け皿部２を上下させて高さを調整することが可能な部品３からなる。クラブとボールが当たる瞬間の、ボールの変形による下方向の力により、受け皿部２が保持を解除されて部品１の中に落ちることで、ボールとの摩擦やクラブとの衝突を回避することを可能とする。【選択図】図２
0003138223.tif 000002
【実用新案登録請求の範囲】
【請求項１】
ボールを載せる受け皿部と、地面に差し込まれるか置かれる構造の内部が中空の部品と、受け皿部を上下させて高さを調整することが可能な部品から構成され、内部が中空の部品と受け皿部はティーアップの状態では保持される構造を特徴とし、クラブとボールが当たる瞬間のボールの変形による下方向の力により、保持を解除された受け皿部が、内部が中空の部品の中に落ちることで、ボールとの摩擦によるショットへの悪影響を無くすことや、クラブとの衝突を回避することで紛失や破損する可能性を少なくすることを特徴とするゴルフティー。
【請求項２】
ボールを載せる受け皿部と、地面に差し込まれるか置かれる構造の軟らかい弾性体の部品からなり、受け皿部と弾性体の部品はティーアップの状態では保持される構造を特徴とし、クラブとボールが当たる瞬間の、ボールの変形による下方向の力により、保持を解除された受け皿部が、下に落ちることで、ボールとの摩擦によるショットへの悪影響を無くすことや、クラブとの衝突を軟らかい弾性体の部品で受けることで紛失や破損する可能性を少なくすることを特徴とするゴルフティー。
【考案の詳細な説明】
【技術分野】
【０００１】本考案は、ゴルフ競技に使用するゴルフティーに関する。
【背景技術】
【０００２】ゴルフティーの多くは、ボールの受け皿を持ち下部が棒状のものであり、下部を地面へ差し込みティーショットが行われる。ボールとクラブが当たった瞬間に、ボールはクラブのフェース面に沿って上下左右に向かって変形する為、ゴルフティーの受け皿部分には下方向の力が加わるが、従来のゴルフティーでは、差し込んだ地面よりの変形に対する反力があるために、ボールの変形が妨げられているとともに、ボール、クラブとゴルフティーには複雑な摩擦が発生し、ショットに悪影響を及ぼしている。
また、ゴルフティーがクラブと衝突することで、紛失や破損することが多い。
受け皿部分など上部に柔軟な素材を使用して、衝突時に曲がる構造を持つことで紛失や破損を防止するゴルフティーもあるが、前述したボールとクラブが当たった瞬間に生じている複雑な摩擦や、ゴルフティーとクラブの衝突は解消できていない。
【考案が解決しようとする課題】
【０００３】本考案の課題はこれらの問題を解消できるゴルフティーを提供することである。
【課題を解決するための手段】
【０００４】ボールを載せる受け皿部と、地面に差し込まれるか置かれる構造の内部が中空の部品とに、受け皿部を上下させて高さを調整することが可能な部品から構成され、内部が中空の部品と受け皿部はティーアップの状態では位置が保持される構造を特徴とし、クラブとボールが当たる瞬間の、ボールの変形による下方向の力により、受け皿部が保持を解除されて中空の部品の中に落ちることで、ボールとの摩擦やクラブとの衝突を回避することを可能とした。
【考案を実施するための最良の形態】
【０００５】以下、本考案の実施の形態を図面により説明する。図１は本考案のゴルフティーの断面図を示す。図２は本考案のゴルフティーにおいてのボールとクラブが当たった瞬間の挙動を示す。図３は本考案の実施の形態の他の例である。【０００６】本考案のゴルフクラブティーは、図１において、弾性体のストッパー部４を持つ部品１とボールを載せる受け皿部２と、弾性体のストッパー部４が嵌まる溝を有し、受け皿部２を上下させて高さを調整することが可能な部品３からなる。【０００７】図１において、部品１は地面へ差し込むことや置くことが容易にできるようになっており、受け皿部２を保持するために、上方は弾性体のストッパー部４を有している。
弾性体のストッパー部４の形状は、受け皿部２を直立に保持するために部品３の溝の円周方向に線接触している。
弾性体のストッパー構造をとらずに、摩擦やゴムにより保持をする構造としても良いが、その際は摩擦係数や劣化などの計時変化を考慮しなければならない。【０００８】図１において、受け皿部２は部品３と組み合わされ、部品３が部品２をスライドすることでゴルフティーの高低を調整することが可能である。
部品３は部品２との保持・密着力の高い樹脂などで作られ、衝撃により部品２と部品３の位置関係が変わらないことが望ましい。また部品３は部品１の中を落ちる際に、部品１の内部の空気抵抗を受けるため、空気抜きの溝あるいは穴を有する構造とする。【０００９】高速度カメラで撮った、ボールとクラブが当たった瞬間の映像を観察すると、その挙動はボールが静止状態のままでの上下左右へのクラブのフェース面にそった変形から始まっている。本考案はその挙動を利用したものである。図２においてボールがクラブへ当たった瞬間の変形による下方向の力により、弾性体のストッパー部４が部品３の溝を外れ、受け皿部は保持部を失うことで、ボールへの反力や、ボールやクラブとの複雑な摩擦を最小化することができ、部品１の中に落ちることでクラブとの衝突を回避することを可能とする。【００１０】図３は本考案の実施の形態の他の例である。
【考案の効果】
【００１１】従来のゴルフティーでは、差し込んだ地面よりの変形に対する反力があるために、ボールの変形が妨げられているとともに、ボール、クラブとゴルフティーには複雑な摩擦が発生し、ショットに悪影響を及ぼしている。
また、ゴルフティーがクラブと衝突することで、紛失や破損することが多い。
本考案は、これらの問題を解消するとともに、従来の技術では、地面の反力やゴルフティーとの衝突で消費していたクラブの運動エネルギーを損なうことなくボールへ伝えることができるために、飛距離を増す効果を得ることができる。
【図面の簡単な説明】
【図１】本考案のゴルフティーの断面図である。
【図２】本考案のゴルフティーによるボールとクラブが当たった瞬間の挙動を示す図面である。
【図３】本考案の実施の形態の他の例である。
【図１】
0003138223.tif 000003
【図２】
0003138223.tif 000004
【図３】
0003138223.tif 000005